(57)【特許請求の範囲】
【請求項１】
プラテンを有するプリンタ本体に対し、サーマルヘッドを有するプリンタヘッドカバーを支軸により開閉自在に取り付けることで当該支軸の軸方向と直交する方向に延出する用紙案内経路を形成し、前記プリンタヘッドカバーが閉じられた状態で前記プラテンにレシート用紙を介して前記サーマルヘッドを所定の加圧力で加圧するプリンタにおいて、
前記プリンタヘッドカバーに設けられる第一カッタと前記プリンタ本体に設けられる第二カッタとで構成されて前記用紙案内経路の終端側に配置され、閉じた状態で前記レシート用紙をカットするカッタ機構と、
前記プリンタヘッドカバーとは異なる当該プリンタヘッドカバーの前記支軸と平行な支軸を中心として前記用紙案内経路の開閉方向に開閉自在である筐体プリンタカバーと、
前記プリンタ本体と前記プリンタヘッドカバーとをロックするロック機構と、
前記用紙案内経路の終端に位置付けられてレシート排出口の一部を構成し、前記筐体プリンタカバーに対して当該筐体プリンタカバーの前記支軸と平行な軸周りに回動自在に設けられた操作部と、
前記筐体プリンタカバーの開き方向への回動方向と同一方向の前記操作部の回動動作によって前記ロック機構のロックを解除するロック解除機構と、
前記筐体プリンタカバーと前記プリンタヘッドカバーとをスライド自在に連結し、前記ロック解除機構によりロックを解除された前記プリンタヘッドカバーを前記操作部による前記筐体プリンタカバーの開放に連動して開放させて前記第一カッタと前記第二カッタとを分離する連結機構と、
を備えることを特徴とするプリンタ。
【請求項２】
カッタ機構の第一カッタを固定刃とし、カッタ機構の第二カッタを可動刃とすることを特徴とする請求項１記載のプリンタ。
【発明の詳細な説明】
【０００１】
【発明の属する技術分野】
本発明は、プリンタ本体にプラテンを備え、そのプリンタ本体に対して開閉自在のプリンタヘッドカバーにサーマルヘッドを備えるプリンタに関する。
【０００２】
【従来の技術】
例えば、ＰＯＳ端末等の商品販売登録データ処理装置に搭載されてレシートの印字を行うようなサーマルプリンタには、プリンタ本体にプラテンと用紙収納部とを備え、このプリンタ本体に開閉自在に設けられるプリンタヘッドカバーにサーマルヘッドを備えているものがある。このような方式のサーマルプリンタでは、プリンタ本体とプリンタヘッドカバーとの間に用紙搬送路が形成されるので、用紙収納部にロール状に巻回された長尺状のレシート用紙を収納してそのレシート用紙を引き出した後、プリンタヘッドカバーを閉じてプリンタ本体にロックするだけで、レシート用紙を介してサーマルヘッドをプラテンに所定の加圧力で当接させることができる。
【０００３】
【発明が解決しようとする課題】
しかしながら、用紙搬送路にはカッタ機構が設けられており、そのカッタ機構の僅かな隙間にもレシート用紙をセットしなければならないので、レシート用紙補充等において、その補充作業がしにくいという問題がある。
【０００４】
また、前述したようなサーマルプリンタにおいては、ＰＯＳ端末とは別体で設計される場合が多く、さらに、ＰＯＳ端末の使用形態や形状を考慮するとＰＯＳ端末に内蔵される場合が多い。したがって、ＰＯＳ端末の筐体には、内蔵されたサーマルプリンタ用の筐体プリンタカバーが開閉自在に設けられる。
【０００５】
ところが、このような筐体プリンタカバーを備えたＰＯＳ端末のサーマルプリンタにレシート用紙を補充する場合、筐体プリンタカバーとプリンタヘッドカバーとをそれぞれ別々に開閉しなければならなくなることにより、操作が煩雑になってしまうので、場合によっては客に対して迷惑がかかってしまう。
【０００６】
本発明の目的は、レシート用紙補充作業を容易にすることができるプリンタを得ることである。
【０００７】
【課題を解決するための手段】
請求項１記載の発明は、プラテンを有するプリンタ本体に対し、サーマルヘッドを有するプリンタヘッドカバーを支軸により開閉自在に取り付けることで当該支軸の軸方向と直交する方向に延出する用紙案内経路を形成し、プリンタヘッドカバーが閉じられた状態でプラテンにレシート用紙を介してサーマルヘッドを所定の加圧力で加圧するプリンタにおいて、プリンタヘッドカバーに設けられる第一カッタとプリンタ本体に設けられる第二カッタとで構成されて用紙案内経路の終端側に配置され、閉じた状態でレシート用紙をカットするカッタ機構と、プリンタヘッドカバーとは異なる当該プリンタヘッドカバーの前記支軸と平行な支軸を中心として用紙案内経路の開閉方向に開閉自在である筐体プリンタカバーと、プリンタ本体とプリンタヘッドカバーとをロックするロック機構と、前記用紙案内経路の終端に位置付けられてレシート排出口の一部を構成し、前記筐体プリンタカバーに対して当該筐体プリンタカバーの前記支軸と平行な軸周りに回動自在に設けられた操作部と、前記筐体プリンタカバーの開き方向への回動方向と同一方向の前記操作部の回動動作によってロック機構のロックを解除するロック解除機構と、筐体プリンタカバーとプリンタヘッドカバーとをスライド自在に連結し、ロック解除機構によりロックを解除されたプリンタヘッドカバーを操作部による筐体プリンタカバーの開放に連動して開放させて第一カッタと第二カッタとを分離する連結機構と、を備える。
【０００８】
したがって、操作部を回動させるとロック解除機構によりロック機構のロックが解除されて、プリンタ本体とプリンタヘッドカバーとの係合が解除される。さらに操作部を回動させると筐体プリンタカバーが開放されるとともに、この筐体プリンタカバーの開放動作に連動してプリンタヘッドカバーも開放され、カッタ機構の第一カッタと第二カッタとが分離される。また、筐体プリンタカバーを閉止する際には、操作部が押し下げられて筐体プリンタカバーが閉止されるとともに、この筐体プリンタカバーの閉止動作に連動してプリンタヘッドカバーも閉止されることにより、ロック機構がロックされ、プリンタ本体とプリンタヘッドカバーとが係合され、カッタ機構の第一カッタと第二カッタとが当接される。これにより、筐体プリンタカバーとプリンタヘッドカバーとが一回の作業で同時に開閉されるとともに、カッタ機構の第一カッタと第二カッタとが分離される構造になる。
【０００９】
請求項２記載の発明は、請求項１記載のプリンタにおいて、カッタ機構の第一カッタを固定刃とし、カッタ機構の第二カッタを可動刃とする。
【００１０】
したがって、プリンタヘッドカバー側の第一カッタが固定刃とされ、プリンタ本体側の第二カッタが可動刃とされることにより、プリンタ本体のみに駆動系が備えられるようになる。
【００１１】
【発明の実施の形態】
本発明の実施の一形態を図１ないし図４に基づいて説明する。本実施の形態は、ＰＯＳ端末へ搭載されるプリンタであるサーマルプリンタへの適用例である。
【００１２】
図１はＰＯＳ端末１の構造を示す外観斜視図、図２はＰＯＳ端末１のサーマルプリンタ６付近の内部構造を示す側面図である。ＰＯＳ端末１には、操作者側から順にキーボード２、ディスプレイ３、客用ディスプレイ４等が設けられている。これらキーボード２、ディスプレイ３、客用ディスプレイ４等は、筐体トップカバー５との嵌合構造によってそれぞれ取り付けられている。また、筐体トップカバー５の操作者から見て左側には、サーマルプリンタ６を内蔵する筐体プリンタカバー７が設けられており、筐体トップカバー５に対して支軸８によって軸支され開閉自在とされている。また、この筐体プリンタカバー７の操作者側端部には、操作部であるレバー９が設けられており、筐体プリンタカバー７に対して軸１０によって軸支され開閉自在とされている。なお、このレバー９は、サーマルプリンタ６により印字発行されるレシートを排出するレシート排出口９ａも形成している。
【００１３】
次に、サーマルプリンタ６の構造について説明する。サーマルプリンタ６は、プリンタ本体１１とプリンタヘッドカバー１２とにより構成されている。プリンタヘッドカバー１２は、プリンタ本体１１に対して支軸１３によって軸支され開閉自在とされている。プリンタ本体１１にはプラテン１４と用紙収納部Ａとが備えられ、プリンタヘッドカバー１２にはサーマルヘッド１５が備えられており、プリンタヘッドカバー１２が閉じられている場合には、用紙案内経路Ｂを形成し、サーマルヘッド１５をプラテン１４に所定の加圧力で当接させることができるように構成されている。
【００１４】
また、サーマルプリンタ６の用紙案内経路Ｂにはレシート用紙を切断するカッタ機構Ｃが備えられており、このカッタ機構Ｃはプリンタヘッドカバー１２に設けられる固定刃である第一カッタＣ１と、プリンタ本体１１に設けられる可動刃である第二カッタＣ２とにより構成されている。第二カッタＣ２は図示しないモータを駆動源としており、この第二カッタＣ２と第一カッタＣ１とがハサミのように噛み合って摺動することによりレシート用紙が切断される。加えて、第一カッタＣ１には、プリンタヘッドカバー１２が開かれている場合に例えば操作者の手等に触れないようにするためのカッタカバー２５が、軸２６により回動自在に設けられている（図４参照）。このカッタカバー２５には、プリンタヘッドカバー１２が閉じられる際には第二カッタＣ２に当接しつつその干渉をカッタカバー２５の回動動作で逃がすための傾斜部２５ａが形成されている。すなわち、カッタカバー２５が第二カッタＣ２に当接すると第一カッタＣ１が露出するような構成になっている。
【００１５】
さらに、サーマルプリンタ６の操作者から見て左右両側には、ロック機構１６がそれぞれ設けられている。ここで、ロック機構１６の構造について説明する。ロック機構１６は、プリンタヘッドカバー１２に設けられた係合部であるロックピン１７と、プリンタ本体１１に設けられ、ロックピン１７に係脱自在であって軸１８により回動自在であるフック１９とにより構成されている。つまり、プリンタヘッドカバー１２は、フック１９がロックピン１７に係合することで閉じた位置に位置決めされ、その係合が解除されることで開くことができる。また、フック１９には、プリンタヘッドカバー１２が閉じられる際にロックピン１７に当接しつつその干渉をフック１９の回動作用で逃がすための傾斜部１９ａが形成されている。これにより、プリンタヘッドカバー１２を閉じると、ロックピン１７に対する干渉がフック１９の回動動作によって逃されながら、最終的にはロックピン１７にフック１９が係合し、プリンタヘッドカバー１２はプリンタ本体１１にロックされることになる。また、フック１９の操作者側には後述するレバー９のロック解除部２４に当接する突起２０が設けられていて、ロック解除機構が構成されている。
【００１６】
さらに、プリンタヘッドカバー１２のサーマルヘッド１５の近傍には後述するガイド用レール２２の長孔２３に差し込まれるスライド軸２１が設けられていて、連結機構が構成されている。
【００１７】
次に、筐体プリンタカバー７の構造について説明する。筐体プリンタカバー７には、操作者から見て左右両側にガイド板２２が備えられている。このガイド板２２には、円弧状の長孔２３がそれぞれ形成されている。このガイド板２２の長孔２３には前述したプリンタヘッドカバー１２のスライド軸２１が差し込まれることにより、筐体プリンタカバー７の開閉動作に伴ってスライド軸２１が長孔２３内をスライド自在に摺動する。すなわち、プリンタヘッドカバー１２が、長孔２３の軌道に従って筐体プリンタカバー７の開閉動作に連動して開閉する構造になっている。
【００１８】
また、プリンタヘッドカバー１２に設けられたレバー９には、カム形状のロック解除部２４が一体に形成されている。このロック解除部２４は、前述したフック１９の突起２０に当接している。例えば、レバー９が時計方向に回動した場合、突起２０はロック解除部２４上をそのカム形状に従って摺動する。こうすることにより、フック１９が反時計方向に回動され、フック１９とロックピン１７との係合が解除され、ロック機構１６を解除することができる。
【００１９】
このような構成における筐体プリンタカバー７とプリンタヘッドカバー１２ととの開閉動作を図３及び図４に基づいて説明する。まず、サーマルプリンタ６の用紙収納部Ａにレシート用紙を補充する場合には、レシート排出口９ａに指を挿入してレバー９を引き上げる。レバー９が引き上げられると、レバー９のロック解除部２４がフック１９の突起２０を押すことにより、サーマルプリンタ６を構成するプリンタ本体１１とプリンタヘッドカバー１２とのロック機構１６が解除される。ロック機構１６が解除されると、レバー９の引上げに伴って筐体プリンタカバー７が時計方向に開放され、カッタ機構Ｃの第一カッタＣ１と第二カッタＣ２とが分離される。さらに、筐体プリンタカバー７の開放動作に伴ってプリンタヘッドカバー１２のスライド軸２１がガイド用レール２２の長孔２３内をスライドしながら移動するため、最終的には、筐体プリンタカバー７の開放動作に連動してプリンタヘッドカバー１２も開放される。
【００２０】
また、レシート用紙の補充後においては、筐体プリンタカバー７のレバー９を押し下げることにより、その筐体プリンタカバー７の閉止動作に伴ってプリンタヘッドカバー１２のスライド軸２１がガイド用レール２２の長孔２３内をスライドしながら移動するため、筐体プリンタカバー７の閉止動作に連動してプリンタヘッドカバー１２も閉止され、最終的には、ロックピン１７にフック１９が係合されてロック機構１６がロックされ、カッタ機構Ｃの第一カッタＣ１と第二カッタＣ２とが当接する。
【００２１】
したがって、筐体プリンタカバー７の支軸８とプリンタヘッドカバー１２の支軸１３とが、同軸上に位置しなくても、筐体プリンタカバー７とプリンタヘッドカバー１２とが連動して同時に完全に開放・閉止されることにより、プラテン１４とサーマルヘッド１５とが開放・閉止され、カッタ機構Ｃの第一カッタＣ１と第二カッタＣ２とが開放・閉止されるので、用紙案内経路Ｂが完全に開放・閉止される。これにより、レバー９により筐体プリンタカバー７を開放してレシート用紙を用紙収納部Ａへ収納し、用紙案内経路Ｂにそのレシート用紙を引き出してレバー９により筐体プリンタカバー７を閉止するだけでレシート用紙がセットできるので、レシート用紙の補充作業が容易になる。
【００２２】
【発明の効果】
請求項１記載の発明によれば、操作部を回動させるとロック解除機構によりプリンタ本体とプリンタヘッドカバーとのロックを解除し、さらに操作部を回動させると筐体プリンタカバーの開放動作に連動してプリンタヘッドカバーを開放し、カッタ機構の第一カッタと第二カッタとを分離することができ、また、筐体プリンタカバーを閉止する際には、操作部を押し下げることで筐体プリンタカバーの閉止動作に連動してプリンタヘッドカバーを閉止することができ、プリンタ本体とプリンタヘッドカバーとを係合してカッタ機構の第一カッタと第二カッタとを当接させることができるので、筐体プリンタカバーとプリンタヘッドカバーとを一回の作業で同時に開閉することができるとともにカッタ機構の第一カッタと第二カッタとを分離・当接することができ、サーマルプリンタへの用紙補充作業を容易にすることができる。
【００２３】
請求項２記載の発明によれば、請求項１記載のプリンタにおいて、プリンタヘッドカバー側の第一カッタを固定刃とし、プリンタ本体側の第二カッタを可動刃とすることにより、プリンタ本体のみに駆動系を備えるようにしたので、他の駆動系と共通化することができる。
【図面の簡単な説明】
【図１】本発明の実施の一形態のＰＯＳ端末の構造を示す外観斜視図である。
【図２】ＰＯＳ端末のサーマルプリンタ付近の内部構造を示す側面図である。
【図３】レバーを少し引き上げた状態のサーマルプリンタ付近の内部構造を示す側面図である。
【図４】筐体プリンタカバーを全開にした状態のサーマルプリンタ付近の内部構造を示す側面図である。
【符号の説明】
７              筐体プリンタカバー
８              筐体プリンタカバーの支軸
９              操作部
１１            プリンタ本体
１２            プリンタヘッドカバー
１３            プリンタヘッドカバーの支軸
１４            プラテン
１５            サーマルヘッド
１６            ロック機構
２０，２４      ロック解除機構
２１，２２      連結機構
Ｂ              用紙案内経路
Ｃ              カッタ機構
Ｃ１            第一カッタ
Ｃ２            第二カッタ
【図１】
0003877100.tif 000002
【図２】
0003877100.tif 000003
【図３】
0003877100.tif 000004
【図４】
0003877100.tif 000005